(57)【特許請求の範囲】
【請求項１】
結合用の開口（３８）を有する結合端を有するブラシ部（３２）と、
前方結合端と内部に軸方向のスライドベアリング（４０）を有する中空のハンドル部（３４）と、
前記ハンドル部のスライドベアリングに軸方向に移動可能に取り付けられ、ブラシ部（３２）に連結される第１の長手部材（柄６２）と、この第１の長手部材（柄６２）から中空ハンドル部の内部に突き出る第２の長手部材（ガイドロッド８０）を備えた結合ロッド（３６）を有する結合機構と、
前記結合ロッド（３６）をハンドル部（３４）の方向に予め引っ張るように前記第２の長手部材（ガイドロッド８０）に取り付けられた戻しばね（８６）であって、両端がハンドル部（３４）と第２の長手部材（ガイドロッド８０）とにそれぞれ形成されたベアリング（７２、８４）の間に支持される戻しばね（８６）と、
ブラシ部とハンドル部の両結合端におけるねじれを防止するためのラッチ機構（４６、４８）を具備する歯ブラシであって、
さらに結合ロッド（３６）の意図せざる軸方向の動きを防止するための固着機構（８８；２００）であって、結合ロッド（３６）に当てがわれる第１の部分（ロックブロック８２；ノッチ２３６；２４４）と、ハンドル部（３４）に当てがわれ、固着位置と解除位置の間で移動可能であり、またばね（９８、２３８）によって固着位置の方向に予め引っ張られる第２の部分（ロックレバー９０；２２０）を備える固着機構と、
中空ハンドル部（３４）の壁にあって、前記固着機構の第２の部分をアクチュエートするアクチュエータ機構（弾性壁セグメント１２０；弾性端片２４８）を備えることを特徴とする歯ブラシ。
【発明の詳細な説明】
【０００１】
【産業上の利用分野】
本発明は、請求項１の前提部に記載された歯ブラシに関する。この種の歯ブラシは、ドイツ国特許第ＤＥ  ４１  ３６  ５３７  Ｃ１  号に記載されている。
【０００２】
【従来の技術】
この種の歯ブラシにおいて、使用済みのブラシ部をハンドル部から取り外すときには、ブラシ部を結合ロッドの突出端に位置するねじ付きのピンからねじって外す前に、ブラシ部をハンドル部から長く引き出さなければならない。このため、結合ロッドは、まずハンドル部において、戻しばねの力に逆らって、軸方向に所定の長さだけ引き出さねばならない。
【発明が解決しようとする課題】
本発明の目的は、前述のブラシ部とハンドル部を回転によって固着する機構を解除するような、ブラシ部のハンドル部に対する軸方向の動きが確実に防止されるよう、上述の歯ブラシを改善することである。
【０００３】
【課題を解決するための手段および作用】
本発明は、上述の目的を請求項１の特徴部に記載した構成により達成する。
前述の固着機構の効果は、いかなる環境の下においても、歯ブラシを分解するつもりのないときに、ブラシ部が、ハンドル部に対する相対的な軸方向の動きによって、分解位置に移動することはないということである。したがって、古いブラシ部を取り外して新しいブラシ部をハンドル部に取り付けようとする場合には、アクチュエータ機構を動かさなければならない。さらに、アクチュエータ機構と結合ロッドに作用するプリテンションばねの設計により、付属の部材を働かせて、子供のいたずらなどでブラシ部がハンドル部から外れるのを防止することができる。
【０００４】
本発明の好ましい態様によれば、結合ロッドは、同時にロックレバーと相互作用を行う制御機構としても働く。ロックレバーのための制御機構は、ロックレバーがアクチュエータ機構によって解除された結果ブラシ部が装填されるときに、ロックレバーが制御カムの影響範囲に移動し、非ロック位置において、ラッチが外れてブラシ部がハンドル部から取り外される結合ロッドの軸方向装填位置にまで及ぶプリテンションばねの力に抗しながら、制御カムによって支持されるように設計される。この非ロック位置においては、ロックレバーは、このロックレバーに働くプリテンションばねの作用の下に、制御カムの影響範囲からプリロック位置に滑り出る。このプリロック位置においては、ロック用のつめは、その一端が結合ロッドとともに働く制御ロッドに沿って、ロックレバーのロック用のつめがロックレバーに作用するばねのプリテンション力の影響下に制御ロッドのロック溝に落ち、制御ロッドとこれに連結したブラシ部を軸方向に移動しないようロック状態におく地点までスライドする。
【０００５】
【実施例】
図１と図２は、ブラシ部３２がハンドル部３４に取り外し可能に取り付けられた歯ブラシ３０を示す。結合ロッド３６は、好ましくはプラスチック製がよく、ブラシ部に対向するハンドル部３４の前方端から突出する。そして、結合ロッド３６は、ブラシ部にあってこれと一体になるねじの付いた結合用開口端３８にねじ込まれる。ブラシ部は、その補強部分に剛毛３９を埋め込む剛毛埋め込み部３３が設けられる。
【０００６】
結合ロッド３６は、プリテンション機構４２の力に抗して、ブラシ部３２の前方端から軸方向に限られた距離だけ移動できてしかも回転しないよう、ブラシ部３２の首部４１の前方端にある軸方向スライドベアリング４０に取り付けられる。結合ロッド３６は、その前方端に、ブラシ部３２の結合用開口３８にねじ込まれるねじ４４が設けられる。このねじ４４の回転角は、１８０°より大きくはない。ブラシ部３２がねじ込まれてわずかに回転すると、ストップカム４６は、ハンドル部３４前方端の端面５０に向き合うようになる。ブラシ部３２をハンドル部３４にねじ被せるか、もしくはハンドル部３４をブラシ部３２にねじ込むと、結合ロッド３６は、プリテンション機構４２の力に抗して、ストップカム４６がハンドル部３４の前方端にある軸方向の窪み４８に係合してハンドル部３４に対して軸方向に引き締められる非ねじれ位置に到るまで、そのねじのピッチ分だけハンドル部３４の前方端から引き出される。もしブラシ部３２を新しいブラシヘッドと交換しようとする場合は、取付け時とは反対方向に回転させてハンドル部３４をねじ４４から外すため、ブラシ部３２は、プリテンション機構４２の力に抗して、ハンドル部３４前方端の端面５０から軸方向に引き離すように、ストップカム４６の長さ分だけ引き出すだけでよい。
【０００７】
図１には、円錐形の中央寄せリング５８が、結合ロッド３６の前方端において、ねじ４４から軸方向に所定の距離をおいて、取り付けてある様子が示されている。結合用開口３８の口部には、中央寄せリング５８を収めるため、開口口部に対応する形状で滑らかな壁面のセグメント３７が設けられる。結合ロッド３６におけるねじ４の径４と中央寄せリング５８の口径は、結合ロッド３６の柄６２の径より大きい。この柄６２は、ハンドル部３４に取り外し可能に取り付けられる。ここでは、便宜上ねじ４４の径と中央寄せリング５８の口径は、同じものとする。柄６２は、図３によれば、径方向において対向し、軸方向に延びる二つのガイド用凸縁６４，６６が設けられる。これらのガイド用凸縁６４，６６は、首部４１にある対応する長手溝６８，７０に、軸方向に変位できるように案内され、結合ロッド３６がねじれないようにする。
【０００８】
さらに図２に示すように、ハンドル部３４にある結合ロッド用のスライドベアリング４０は、横断壁７２によって長さを制限される。この横断壁７２は、結合ロッド３６の内側端部にある環状肩部７４に対する止め具として働く。横断壁７２には、結合ロッド３６の柄６２の径より小さい口径で、軸方向に延びる穴７６が設けられる。この横断壁７２にある穴７６を通して、シリンダ状のガイドロッド８０が、結合ロッド３６の柄６２の環状肩部８０が形成された側の端部から延び、前納に突出するシリンダ状の突起８４とロックブロック８２によって、ガイドロッド８０の外側端に締め付けられる。突起８４は環状肩部を形成するが、この肩部には、螺旋状圧縮ばね８６の一端が支持される。そしてこのばね８６の他端は、横断壁７２において軸方向の穴７６を通って環状肩部に対向する。したがって、ブラシ部３２は、そのストップカム４６によって、プリテンションばね８６の力に抗しながらハンドル部３４の首部４１の前方端にある軸方向の窪み４８から引き出され、その後、回転によって、結合ロッド３６の結合端からねじ込みを外される。
【０００９】
さらに図２に示すように、ハンドル部３４にある結合ロッド用のスライドベアリング４０は、横断壁７２によって長さを制限される。この横断壁７２は、結合ロッド３６の内側端部にある環状肩部７４に対する止め具として働く。横断壁７２には、結合ロッド３６の柄６２の径より小さい口径で、軸方向に延びる穴７６が設けられる。この横断壁７２にある穴７６を通して、シリンダ状のガイドロッド８０が、結合ロッド３６の柄６２の環状肩部７４が形成された側の端部から延び、ガイドロッド８０の外端には、シリンダ状の前方突起８４を介して、ロックブロック８２が連結される。突起８４は環状肩部を形成するが、この肩部には、螺旋状圧縮ばね８６の一端が支持される。そして、このばね８６の他端は、横断壁７２の軸方向の穴７６を形成する環状肩部に支持される。したがって、ブラシ部３２は、そのストップカム４６によって、プリテンションばね８６の力に抗しながらハンドル部３４の首部４１の前方端にある軸方向の窪み４８から引き出され、その後、回転によって、結合ロッド３６の結合端からねじ込みを外される。
【００１０】
触手アーム１００には、そのロックブロック８２と反対側の長手軸側に、ハンドル部３４の後壁９４の方向に角度を形成しないアクチュエータプレート１１６が設けられる。アクチュエータプレート１１６は、ハンドル部３４の触手１００に対向する側の壁に設けられる弾性壁セグメント１２０の後方に位置する。弾性壁セグメント１２０は、ロックレバー９０をアクチュエートさせる。図５に示すように、圧力が弾性壁セグメント１２０に加えられると、弾性壁セグメント１２０は、その背後にあるアクチュエータプレート１１６を押圧し、このアクチュエータプレート１１６を内側に、ロックブロック８２まで動かすようになる。このとき触手アーム１００は、ロックブロック８２を通り過ぎて横方向に移動する（後により詳しく説明する）。その結果、ロックレバー９０のロックアーム１０２はロックブロック８２から遠ざかり、ロックボス１０４はロックブロック８２にあるロック溝１１２から解放される。よって、ロックブロック８２に連結した結合ロッド３６の軸方向の動きは、もはや妨げられることはなく、ブラシ部３２はハンドル部３４から軸方向に引っ張られ、ねじ４４から外れる。
【００１１】
図６と図７に示すように、ロックブロック８２の触手アーム１００に対向する側は、このロックブロック８２の後方端においてほぼ平らであり、ロックブロック８２の上に、歯ブラシの軸方向、すなわち歯ブラシの中央軸と平行で中央軸より後方にある軸方向に真直ぐに延びるかあるいは傾斜路の形で徐々に上昇していく肩部１２４を形成する突起１２２が設けられる。ロックブロック８２は、領域１２６において触手アーム１００に対向する側が突起１２２の表面に向けて徐々に上昇していくよう、端部に向けて厚くなっていく。その結果、肩部１２４は、ロックブロック８２の後方端部では消失する。
【００１２】
ロックレバー９０は、回り継手軸９２に垂直な薄板状のもので、触手アーム１００の後方端に取り付けられる触手ピン１２８が、ロックレバー９０のロック状態（図２参照）においてプリテンション力の下にロックブロック８２の突起を押圧するよう、張り出し棚９６の上に設置される。プリテンション力は、この位置においては、触手アーム１００が、回り継手軸９２に垂直な面から外れて（図７）、弾性的に湾曲するという事実によって実現される。
【００１３】
中央長手軸に平行に延びるかもしくは歯ブラシの後方端の方向に徐々に上昇していく肩部１２４は、触手アーム１００の薄板状の面に垂直に上昇して、触手ピン１２８のための制御カム機構を形成する。
【００１４】
もし、図５に示すように、弾性壁セグメント１２０に圧力が加えられて、触手アーム１００が内側に向けて動くと、触手ピン１２８は突起１２２の上をスライドし、肩部１２４に係合する（図８，９）。そして、弾性壁セグメント１２０が圧力から解放された後でも、ロックレバー９０は、ロックブロック８２が解放されて軸方向に動くことができるこの位置に固定される（図１０）。よって、歯ブラシを使う人は、ブラシ部３２を取り外すためには、弾性壁セグメント１２０を押す動作とブラシ部３２をハンドル部３４から引き出す動作を同時に行う必要はなく、これらの動作を順序よく行えばよい。
【００１５】
ブラシ部３２が一旦ハンドル部３４から引き出されると、ロックブロック８２も、図１０に示すように、結合ロッド３６といっしょに左側に移動する。このとき、触手ピン１２８は、制御カムを形成する肩部１２４に沿って、上昇領域１２６に到達するまでスライドする。領域１２６においては、触手ピン１２８は、薄板状ロックレバー９０の弾性力に抗して、ロックブロック８２から外側後方へ力を加えられ（図１１）、肩部１２４から外れる。この結果、ロックレバー９０はプリテンションばね９８の力の下で、図１２に示す位置に移動する。この位置は、ロックボス１０４がロック溝１１２の後方でロックブロック８２を押圧している点を除いて、図２におけるロックレバー９０の位置に対応するものである。なぜなら、ロックブロック８２は、新しいブラシ部３２をねじ込むため、すでに首部４１の方向にある程度移動しているからである。新しいブラシ部３２がねじ込まれた後、そのストップカム４６が軸方向の窪み４８に嵌って、ロックブロック８２が図１２に示す右方向に移動すると、ロックボス１０４は、最終的にロックブロック８２のロック溝に係合し、図２に示した、結合ロッド３６が遮蔽された初期位置に到達する。
【００１６】
図１３と図１４には、歯ブラシ３０の第２の態様に係る固着機構２００を示す。この態様においては、歯ブラシの首部４１は可撓性のプラスチックからつくられ、この首部は、ブラシ部３２に向かい合うハンドル部３４の前方端において、ハンドル部３４に取り付けられる。この首部４１には、結合機構のためのハウジング２１０が挿入される。ハウジング２１０の前部には、ガイド用凸縁６４，６６のための長手溝を含む、結合ロッド３６の柄６２のための軸方向スライドベアリングが、柄６２に設置される。そして、ハウジングの前部は、横断壁７２によって閉塞される。横断壁７２の後方では、ハウジング２１０は、ガイドロッド８０を取り囲む後方セグメントと一体化する。
【００１７】
固着機構２００は、第１の態様における固着機構８８と同様、歯ブラシの中央長手軸に垂直な回り継手軸２２２の回りに回転可能で、ロックアーム２２４と触手アーム２２６を有する両サイド型ロックレバー２２０を備える。触手アーム２２６の端部には、ハンドル部３４の壁に位置する弾性壁セグメント２３０の背後に、アクチュエータプレート２２８が設けられる。回り継手軸２２２は、横断壁７２に近接して設けられ、ハウジング２１０に取り付けられる。一方、ロックアーム２２４は、横断壁７２を領域を越えて、前方の、歯ブラシの首部４１にあるノッチ２３６まで延びる。ロックアーム２２４の外側端にあるロックボス２３４は、ロック状態において、結合ロッド３６の柄６２上のガイド用凸縁６４，６６の一方にあるノッチ２３６に係合し、こうして結合ロッド３６は、その軸方向の動きを阻止される。ロックレバー２２０は、ロック状態においては、プリテンションばね２３８、例えば図１３に示す板ばねによって保持される。
【００１８】
弾性壁セグメント２３０は、ハンドル部３４の首部４１の一体に設けることができる。そして、この弾性壁セグメント２３０は、比較的剛性のハンドル部３４の壁に設けた穴まで延び、この穴を充填する。
【００１９】
弾性壁セグメント２３０、そしてアクチュエータプレート２２８に圧力が加えられると、ロックボス２３４はノッチ２３６から外れ、結合ロッド３６は解放される。そしてこの結合ロッド３６は、ストップカム４６を軸方向の窪み４８から引き出せるようにし、ブラシ部３２を取り外して交換することを可能にする。
【００２０】
図１５と図１６には、前述の第２の態様に類似した、本発明の第３の態様に係る固着機構を示す。この態様においては、ガイドロッド８０には、第２の横断壁２４２から、ハウジング２１０を閉鎖しながら、後方の中空ハンドル部３４に向けて突出する延長部２４０が設けられる。この延長部２４０は、第２の横断壁２４２の後方の領域において、周囲が円形でラジアル型のノッチ２４４を具備するが、このノッチ２４４は、ロックアーム２２４のロックボス２３４が係合するロック溝として働く。この目的のため、回り継手軸は、第２の横断壁２４２の近傍において、ハウジング２１０に取り付けられ、ロックアーム２２４は、第２の横断壁２４２の領域を越えて、後方のハンドル部３４の空隙まで延びる。またこの態様においては、ロックレバー２２０は、ハンドル部３４の壁にある弾性壁セグメント２３０と、触手アーム２２６のアクチュエータプレート２８によって移動される。
【００２１】
図１７と図１８には、本発明の第４の態様に係る固着機構２００を示す。この態様においても、ガイドロッド８０には、第２の横断壁２４２を貫通して後方に延びる延長部２４０が設けられる。しかし、ロックレバー２２０のロックアーム２２４と触手アーム２２６は、ここでは、互いに９０°の角度をなして取り付けられ、回り継手軸２２２は、第２の横断壁２４２の後方、そして歯ブラシの中央長手軸の外側に位置し、触手アーム２２６はこの中央長手軸を横断する。そして押圧ロッド２４６によって触手アーム２２６に軸方向の圧力が加えられる。すなわち、押圧ロッド２４６が、ほぼハンドル部３４の中央長手軸に沿って移動する。このとき、押圧ロッド２４６の一端は、触手アーム２２６に連接しながら締め付けられ、他端は、ハンドル部３４の端部にある弾性端片２４８の中に位置する。弾性端片２４８に圧力が加えられると、押圧ロッド２４６は図１７に示すように左方に移動し、ロックレバー２２０が回動して、ロックボス２３４が結合ロッド３６を解放する。
【００２２】
本発明の具体的な実施態様は以下の通りである。
１）前記固着機構（８８）の第１の部分はロックブロック（８２）であり、このロックブロック（８２）はハンドル部（３４）の内壁から横断方向に所定の距離をおきながら結合ロッド（３６）の後部長手セグメントからほぼ同軸的に延び、ロック溝（１１２）を備えることを特徴とする請求項１記載の歯ブラシ。
２）前記固着機構（２００）の第１の部分は、結合ロッド（３６）においてロック溝として働くノッチ（２３６；２４４）であることを特徴とする請求項１記載の歯ブラシ。
３）前記固着機構（８８；２００）の第２の可動部分は、ダブルアーム型ロックレバー（９０；２２０）であり、このロックレバーは、ばね（９８；２３８）のプリテンション力に抗してハンドル部（３４）の固定軸（９２；２２２）に回動可能に取り付けられ、またロックレバーの一方のアームは（ロックアーム（１０２；２２４）は、固着位置において固着機構の第１の部分にあるロック溝（１１２；２３６；２４４）に係合するロックボス（１０４；２３４）を備え、ロックレバーの他方のアームは（触手アーム１００）は、ハンドル部（３４）のアクチュエータ機構たる弾性壁セグメント（１２０；２３０）を固着機構を解除するため押圧することによってアクチュエートすることができる上記実施態様１）または２）記載の歯ブラシ。
４）前記ロックレバー（２２０）のための回り継手軸（２２２）は、ハンドル部（３４）に連結され、結合ロッド（３６）のためのスライドベアリング（４０）を具備するハウジング（２１０）に取り付けられる上記実施態様３）記載の歯ブラシ。
５）前記ハウジング（２１０）の壁には穴があり、ロック溝として働く前記ノッチ（２３６）はこの穴のある領域で、結合ロッド（３６）の第１の長手セグメントに取り付けられる上記実施態様４）記載の歯ブラシ。
６）前記結合ロッド（３６）の第２の長手セグメントの後方端には、ハウジング（２１０）を閉塞する横断壁（２４２）から突出してハンドル部（３４）の中に入り込む延長部（２４０）が設置され、この延長部（２４０）にはロック溝として働くノッチ（２４４）が設けられる上記実施態様４）記載の歯ブラシ。
７）前記弾性壁セグメント（１２０）は、ハンドル部（３４）の側壁に取り付けられる上記実施態様４）記載の歯ブラシ。
８）前記アクチュエータ機構は、ハンドル部（３４）のブラシ部（３２）から遠い方の端に弾性端片（２４８）を備え、押圧ロッド（２４６）の一端はこの弾性端片（２４８）に取り囲まれ、他方押圧ロッドの他端はロックレバー（２２０）の触手アーム（２２６）に連接して連結される上記実施態様３）記載の歯ブラシ。
９）前記ダブルアーム型ロックレバー（９０）には、触手アーム（１００）のロックボス（１０４）とは反対側の端部に触手ピン（１２８）が設けられ、前記ロックブロック（８２）の内側端には、触手ピンのための制御カム機構を形成する肩部（１２４）と上昇領域（１２６）が設けられる上記実施態様１）または３）記載の歯ブラシ。
１０）前記制御カム機構には、固着位置において触手ピン（１２８）のためのベアリング面となる突起が設けられる上記実施態様９）記載の歯ブラシ。
１１）前記ベアリング面の動きは、ロックレバー（９０）のロック解除方向においては、ベアリング面に垂直な制御カム（肩部１２４）によって制限され、またロックレバー（９０）はそのロック解除位置においては触手ピン（１２８）を後方から把持する上記実施態様１０）記載の歯ブラシ。
【００２３】
【発明の効果】
以上説明したように、本発明によれば、ブラシ部とハンドル部を互いに回転させることによって固着されているブラシ部とハンドル部の間の連結を解除してしまうブラシ部のハンドル部に対する軸方向の動きがしっかりと防止される歯ブラシが提供される。
【図面の簡単な説明】
【図１】本発明の第１の態様に係る歯ブラシの、ブラシ部をハンドル部に連結する結合機構を一部切り欠いた側面図。
【図２】図１の歯ブラシのハンドル部に連結したブラシ部のロックアセンブリ位置における結合機構を示す歯ブラシの一部切欠正面断面図。
【図３】図２のＩＩＩ−ＩＩＩ  線断面図（図１の歯ブラシの首部を通る）。
【図４】図２のＩＶ−ＩＶ  線断面図（結合機構におけるロックレバーの結合ロッドと回り継手軸を通る）。
【図５】図２に類似した図１の歯ブラシの一部切欠断面図（ただしロック状態にないロックレバーは結合機構の制御カムによって非ロック位置に保持されている）。
【図６】図２のＶＩ−ＶＩ  線断面図（歯ブラシのハンドル部における制御機構の制御カムと触手アームを通る）。
【図７】図５の矢印ＶＩＩ  で示す結合機構の側面図。
【図８】図５のＶＩＩＩ−ＶＩＩＩ  線断面図（ロックレバーの触手アームは結合機構の制御カムに対向している）。
【図９】図５の矢印ＶＩＩ  で示す結合機構の側面図（制御カムに対向するロックレバーの触手アームを示す）。
【図１０】図２および図５に類似した歯ブラシの水平断面図（ブラシ部を取り外した後の、結合機構の初期位置にあるハンドル部だけを示す）。
【図１１】図５の矢印ＶＩＩ  で示す結合機構の側面図。
【図１２】平面方向から見た結合機構を示すハンドル部の一部切欠水平断面図（ハンドル部は結合ロッドの前方結合端とぴったり合わさっており、結合機構は結合ロッドのアセンブリ位置にある）。
【図１３】本発明の第２の態様に係る歯ブラシの水平断面図（簡単な子供のいたずら防止固着機構を示す）。
【図１４】図１３のＸＩＶ−ＸＩＶ  線断面図。
【図１５】本発明の第３の態様に係る歯ブラシの一部切欠水平断面図。
【図１６】図１５のＸＶＩ−ＸＶＩ  線断面図（歯ブラシの側面図）。
【図１７】本発明の第４の態様に係る歯ブラシの中央長手軸方向の断面図（固着機構を示す）。
【図１８】図１７のＸＶＩＩＩ−ＸＶＩＩＩ  線断面図（歯ブラシの側面図）。
【符号の説明】
３０  歯ブラシ
３２  ブラシ部
３３  剛毛植え込み部
３４  ハンドル部
３６  結合ロッド
３７  滑らかな壁面のセグメント
３８  結合用の開口
３９  剛毛
４０  軸方向スライドベアリング
４１  首部
４２  プリテンション機構
４４  ねじ
４６  ストップカム
４８  軸方向の窪み
５０  端面
５８  中央寄せリング
６２  結合ロッド３６の柄
６４，６６  ガイド用凸縁
６８，７０  長手溝
７２  横断壁
７４  環状肩部
７６  横断壁７２の穴
８０  ガイドロッド
８２  ロックブロック
８４  突起
８６  ばね
８８  固着機構
９０  ロックレバー
９２  回り継手軸
９４  後壁
９６  ブラケット
９８  プリテンションばね
１００  触手アーム
１０２  ロックアーム
１０４  ロックボス
１０６  テーパ側
１０８  内側
１１０  ハンドル部３４の壁
１１２  ロック溝
１１６  アクチュエータプレート
１２０  弾性壁セグメント
１２２  突起
１２４  肩部
１２６  上昇領域
１２８  触手ピン
２００  固着機構
２１０  ハウジング
２２０  ロックレバー
２２２  回り継手軸
２２４  ロックアーム
２２６  触手アーム
２２８  アクチュエータプレート
２３０  弾性壁セグメント
２３４  ロックボス
２３６  ノッチ
２３８  プリテンションばね
２４０  ガイドロッド８０の延長部
２４２  第２の横断壁
２４４  ノッチ
２４６  押圧ロッド
２４８  弾性端片
【図１】
0003621139.tif 000002
【図２】
0003621139.tif 000003
【図３】
0003621139.tif 000004
【図４】
0003621139.tif 000005
【図５】
0003621139.tif 000006
【図６】
0003621139.tif 000007
【図７】
0003621139.tif 000008
【図８】
0003621139.tif 000009
【図９】
0003621139.tif 000010
【図１０】
0003621139.tif 000011
【図１１】
0003621139.tif 000012
【図１２】
0003621139.tif 000013
【図１３】
0003621139.tif 000014
【図１４】
0003621139.tif 000015
【図１５】
0003621139.tif 000016
【図１６】
0003621139.tif 000017
【図１７】
0003621139.tif 000018
【図１８】
0003621139.tif 000019